(57)【要約】【課題】  使用者が着用している衣服等に付着したゴミを除去する際に使い勝手の向上を図ることができる粘着式クリーナを提供する。【解決手段】  表面に粘着面が形成された粘着ローラ１と、粘着ローラ１を回転可能に支持する軸部２と、軸部２と連結部３を介して連結されたＴ字状のグリップ部４と、を備え、グリップ部４は、そのＴ字状の縦棒部分４ａの先端が連結部３に接続され、そのＴ字状の横棒部分４ｂの中心線Ｃ１が粘着ローラ１の回転軸線Ｃ２と平行または略平行となるように配置されている。【選択図】  図１
0003215544.tif 000002
【実用新案登録請求の範囲】
【請求項１】
表面に粘着面が形成された粘着ローラと、
前記粘着ローラを回転可能に支持するローラ支持部と、
前記ローラ支持部と連結部を介して連結されたＴ字状のグリップ部と、
を備え、
前記グリップ部は、そのＴ字状の縦棒部分の先端が前記連結部に接続され、そのＴ字状の横棒部分の中心線が前記粘着ローラの回転軸線と平行または略平行となるように配置された、
粘着式クリーナ。
【請求項２】
前記グリップ部は、ポールの一端に備えられた取付部材に取り付け可能に構成され、
前記取付部材は、互いに向かい合い、かつ、互いが近づくように付勢された対をなす突出部が前記ポールの長手方向と直交する方向に並んで複数対備えられており、
前記グリップ部は、前記取付部材に取り付け可能にするために、前記Ｔ字状の横棒部分の表裏両側において前記取付部材の互いに向かい合う突出部が嵌合される複数の溝が設けられた、
請求項１に記載の粘着式クリーナ。
【請求項３】
前記粘着ローラは、
基材の一方の面に粘着面が形成された粘着テープを、その粘着面が外側を向くように円筒状に巻回してなる粘着テープロールと、
前記粘着テープロールを外側に装着し、前記ローラ支持部に回転可能に支持されるホルダと、を有した、
請求項１または２に記載の粘着式クリーナ。
【考案の詳細な説明】
【技術分野】
【０００１】
本考案は、粘着式クリーナに関する。
【背景技術】
【０００２】
粘着式クリーナは、例えば特許文献１に示すように、基材の一方の面にゴミ捕捉用の粘着面が形成された粘着テープをその粘着面が外側を向くようにロール状に巻回した粘着テープロールと、同粘着テープロールを回転可能に支持し、使用者の手によって把持されるグリップ部を備えた清掃具本体と、を備えている。このような粘着式クリーナでは、カーペット、床等の被清掃面上で粘着テープロールを転がすことによって、被清掃面上のゴミを粘着面で捕捉するようになっている。
【０００３】
また、粘着式クリーナは、例えば特許文献２に示すように、使用者が着用している防塵服のような衣服の表面に付着しているゴミを除去する際にも用いられる。
【先行技術文献】
【特許文献】
【０００４】
【特許文献１】特開２０１３−１５８３７８号公報
【特許文献２】特開２０１２−９０６４９号公報
【考案の概要】
【考案が解決しようとする課題】
【０００５】
上記のような粘着式クリーナのグリップ部は、手で把持しやすいように一般的に棒状になっている。しかしながら、使用者本人が着用している衣服等に付着したゴミを除去する際に、例えば背中等のゴミを取る際に、より使い勝手のよいグリップ部の形状が望まれる。
【０００６】
本考案は上記のような課題を解決するためになされたもので、使用者が着用している衣服等に付着したゴミを除去する際に使い勝手の向上を図ることができる粘着式クリーナを提供することを目的としている。また、他の目的は、使用者が手で持って使用することができるとともに、市販のポールに取り付けて床等の掃除に立った姿勢で使用することができる粘着式クリーナを提供することである。
【課題を解決するための手段】
【０００７】
上記目的を達成するために、本考案のある態様に係る粘着式クリーナは、表面に粘着面が形成された粘着ローラと、前記粘着ローラを回転可能に支持するローラ支持部と、前記ローラ支持部と連結部を介して連結されたＴ字状のグリップ部と、を備え、前記グリップ部は、そのＴ字状の縦棒部分の先端が前記連結部に接続され、そのＴ字状の横棒部分の中心線が前記粘着ローラの回転軸線と平行または略平行となるように配置されている。
【０００８】
この構成によれば、グリップ部が上述のＴ字状であるので、使用者は、着用している衣服等に付着したゴミを除去する際においては、Ｔ字状の横棒部分を把持して粘着ローラを背中等へ当てることが容易となり、背中等のゴミを取る際にも扱いやすく、使い勝手の向上を図ることができる。
【０００９】
また、前記グリップ部は、ポールの一端に備えられた取付部材に取り付け可能に構成され、前記取付部材は、互いに向かい合い、かつ、互いが近づくように付勢された対をなす突出部が前記ポールの長手方向と直交する方向に並んで複数対備えられており、前記グリップ部は、前記取付部材に取り付け可能にするために、前記Ｔ字状の横棒部分の表裏両側において前記取付部材の互いに向かい合う突出部が嵌合される複数の溝が設けられていてもよい。
【００１０】
この構成によれば、使用者はグリップ部を手で持って粘着式クリーナを使用することができるとともに、床やカーペット等の掃除を行う際、ポールに備えられた取付部材に取り付けることにより、使用者はポールを持って立った姿勢で粘着式クリーナを使用することができる。
【００１１】
また、前記粘着ローラは、基材の一方の面に粘着面が形成された粘着テープを、その粘着面が外側を向くように円筒状に巻回してなる粘着テープロールと、前記粘着テープロールを外側に装着し、前記ローラ支持部に回転可能に支持されるホルダと、を有していてもよい。
【考案の効果】
【００１２】
本考案は、以上に説明した構成を有し、粘着式クリーナにおいて、使用者が着用している衣服等に付着したゴミを除去する際に使い勝手の向上を図ることができるという効果を奏する。また、使用者が手で持って使用することができるとともに、市販のポールに取り付けて床等の掃除に立った姿勢で使用することができるという効果を奏する。
【図面の簡単な説明】
【００１３】
【図１】図１は、本考案の実施形態の一例の粘着式クリーナの正面図である。
【図２】図２は、図１に示す粘着式クリーナをポールに取り付けた状態を示す概略図である。
【図３】図３は、図２における粘着式クリーナとポールとの接続部分を拡大した斜視図である。
【図４】図４は、ポールに取り付けられる取付部材を示す斜視図である。
【図５】図５は、図１に示す粘着式クリーナのグリップ部を示す斜視図である。
【考案を実施するための形態】
【００１４】
以下、本考案の好ましい実施の形態を、図面を参照しながら説明する。なお、以下では全ての図面を通じて同一又は相当する要素には同一の参照符号を付して、その重複する説明を省略する。また、本考案は、以下の実施形態に限定されない。
【００１５】
（実施形態）
図１は、本考案の実施形態の一例の粘着式クリーナの正面図である。
【００１６】
この粘着式クリーナＡは、表面に粘着面が形成された粘着ローラ１と、粘着ローラ１を回転可能に支持する棒状の軸部（ローラ支持部）２と、Ｔ字状のグリップ部４と、軸部２とグリップ部４とを連結する連結部３とを備えている。
【００１７】
粘着ローラ１は、この例では、軸部２にその軸部２を中心として回転可能に支持されたホルダ１１と、ホルダ１１の外側に着脱自在に装着された粘着テープロール１２とで構成されている。粘着テープロール１２は、基材の一方の面に粘着面が形成された粘着テープを、その粘着面が外側を向くように巻芯に円筒状に巻回してなるものである。この粘着テープロール１２は、汚れた粘着テープ部分を切り取って使用し、粘着テープ部分が無くなると、新しい粘着テープロールと交換することができる。なお、粘着ローラ１として、円筒状の外周表面に粘着剤が塗布され、軸部２に回転可能に支持されたローラを用いた構成とすることも可能である。
【００１８】
グリップ部４は、そのＴ字状の縦棒部分４ａと、Ｔ字状の横棒部分４ｂとを有し、例えば合成樹脂で形成されている。Ｔ字状の横棒部分４ｂには、この粘着式クリーナＡを例えばフックなどに吊り下げて保管するための穴４１が設けられている。
【００１９】
連結部３の一端は、グリップ部４のＴ字状の縦棒部分４ａの先端部分に接続され、連結部３の他端は軸部２の一端に接続されている。この例では、連結部３は、軸部２と同一部材の金属棒で形成され、この金属棒が屈曲されて連結部３が構成されている。
【００２０】
また、グリップ部４は、そのＴ字状の横棒部分４ｂの中心線Ｃ１が、粘着ローラ１の回転軸線Ｃ２と平行または略平行となっている。このため、例えば、図１の二点鎖線で示すように、使用者が横棒部分４ｂを手Ｈでしっかり把持して使用することができる。
【００２１】
この粘着式クリーナＡでは、グリップ部４を上述のようなＴ字状に形成しているので、使用者は、Ｔ字状の横棒部分４ｂを把持して、カーペットや床等の被清掃面上で粘着ローラ１を転がすことにより、被清掃面上のゴミを粘着ローラ１に付着させて清掃することができる。
【００２２】
また、使用者が着用している衣服等に付着したゴミを除去する際においては、Ｔ字状の横棒部分４ｂを把持して粘着ローラ１を背中等へ当てることが容易となり、背中等のゴミを取る際にも扱いやすく、使い勝手の向上を図ることができる。例えば、食品工場等のクリーンルームへ入る前に使用したり、クリーンルーム内で使用することにより、防塵服等の衣服に付着しているゴミ（毛髪、皮膚片、ほこり等）を除去することができる。
【００２３】
また、本実施形態の粘着式クリーナＡは、市販のポールに取り付けて床等の掃除に立った姿勢で使用することができる。これについて、さらに図２〜図５を参照して説明する。
【００２４】
図２は、粘着式クリーナＡをポール６に取り付けた状態を示す概略図である。図３は、図２における粘着式クリーナＡとポール６との接続部分を拡大した斜視図である。図４は、ポール６に取り付けられる取付部材７を示す斜視図である。図５は、粘着式クリーナＡのグリップ部４の斜視図である。
【００２５】
ポール６及び取付部材７は、取付部材７に専用の器具（モップ本体やデッキブラシ本体）を取り付けて、モップやデッキブラシとして使用することができる市販のものを用いることができる。取付部材７は、棒状のポール６の先端に着脱可能に取り付けられている。
【００２６】
粘着式クリーナＡのグリップ部４は、そのＴ字状の横棒部分４ｂに、取付部材７に取り付け可能な構造を有している。図２、図３に示すように、グリップ部４の縦棒部分４ａの長手方向とポール６の長手方向とが一致するように、取付部材７を介して粘着式クリーナＡがポール６に取り付けられる。
【００２７】
取付部材７は、第１部材７ａ、第２部材７ｂ及び軸部７７等を備えている。
【００２８】
第１部材７ａは、ポール挿入部７１と結合部７２と突出部固定部７３とが一体的に構成されている。ポール挿入部７１には、ポール６が挿入される。ポール６には、その長手方向と直交する突出方向に付勢された出入（突出及び退避）自在な突出部材６１が設けられている。ポール６がポール挿入部７１に挿入されて突出部材６１がポール挿入部７１の穴７１ａに突出することにより、ポール６が取付部材７に装着される。結合部７２は、ポール挿入部７１と突出部固定部７３とを結合し、第２部材７ｂと連結される部分である。突出部固定部７３には、複数の突出部７０ａが固定されている。
【００２９】
第２部材７ｂは、突出部固定部７４と結合部７５と操作部７６とが一体的に構成されている。突出部固定部７４には、第１部材７ａの複数の突出部７０ａと対向するように複数の突出部７０ｂが固定されている。結合部７５は、突出部固定部７４と操作部７６とを結合し、第１部材７ａと連結される部分である。本例では、突出部７０ａ及び突出部７０ｂは、それぞれ３個ずつ設けられている。
【００３０】
第２部材７ｂは第１部材７ａに対して、軸部７７を中心に回動自在に取り付けられている。軸部７７は、例えば、第１部材７ａの結合部７２の両側に設けられた２つの穴７２ａを挿通して設けられて２つの穴７２ａに支持されるとともに、第２部材７ｂの結合部７５を貫通して設けられている。また、第２部材７ｂは、軸部７７を中心に、突出部固定部７４が第１部材７ａの突出部固定部７３に近づくように回動する方向へ図示しないばね（以下、「ばねＸ」という）によって付勢されている。
【００３１】
よって、互いに対向して対をなす突出部７０ａと突出部７０ｂとは、互いに向かい合い、かつ、互いが近づくようにばねＸによって付勢された状態であり、対をなす突出部７０ａ，７０ｂがポール６の長手方向と直交する方向（方向ａ）に並んで複数対（ここでは３対）備えられている。これらの突出部７０ａ，７０ｂの各々は、上記の方向ａに延びるように設けられている。
【００３２】
第２部材７ｂの操作部７６と第１部材７ａのポール挿入部７１とを、片手で強く握ることにより、図４の矢印Ｓ１，Ｓ２で示すように、操作部７６がポール挿入部７１に対して近づくとともに、第２部材７ｂの突出部固定部７４が第１部材７ａの突出部固定部７３から遠ざかり、突出部固定部７４と突出部固定部７３との間隔を広げることができる。この突出部固定部７４と突出部固定部７３との間にグリップ部４を取り付けることができる。
【００３３】
グリップ部４は、図１、図５に示すように、そのＴ字状の横棒部分４ｂに、突出部固定部７３，７４の突出部７０ａ，７０ｂと対応する複数の溝４０が設けられている。すなわち、Ｔ字状の横棒部分４ｂの一方の面には、例えば突出部固定部７３の３個の突出部７０ａが挿入（嵌合）される３個の溝４０が設けられ、他方の面には、例えば突出部固定部７４の３個の突出部７０ｂが挿入（嵌合）される３個の溝４０が設けられている。
【００３４】
なお、図１、図５では、Ｔ字状のグリップ部４の横棒部分４ｂの片方の面しか示されていないが、もう片方の面も同じ構成である。３個の溝４０は、Ｔ字状の横棒部分４ｂの表裏両側部分において、横線方向（図１に示す中心線Ｃ１と平行な方向）に並んで設けられている。なお、横棒部分４ｂの表裏両側部分とは、縦棒部分４ａの長手方向及び横棒部分４ｂの長手方向のそれぞれと直交する方向において対向する両側部分である。
【００３５】
前述のように、取付部材７の操作部７６とポール挿入部７１とを、片手で強く握ることにより、突出部固定部７４と突出部固定部７３との間隔を広げて、その間にグリップ部４の横棒部分４ｂを挿入して、各突出部７０ａ、７０ｂが溝４０に挿入されるように位置合わせし、握っている手を離すことにより、ばねＸの付勢力によって突出部固定部７４と突出部固定部７３との間にグリップ部４の横棒部分４ｂが挟まれる。これにより、粘着式クリーナＡが取付部材７に取り付けられる。粘着式クリーナＡを取付部材７から取り外すときには、取付部材７の操作部７６とポール挿入部７１とを片手で強く握って突出部固定部７４と突出部固定部７３との間隔を広げることにより、容易に取り外すことができる。よって、粘着式クリーナＡ（グリップ部４の横棒部分４ｂ）は、ポール６に備えられた取付部材７に着脱自在に取り付けられる。
【００３６】
なお、横棒部分４ｂの長手方向両側の２つの溝４０の各々に対して平行な溝４２が形成されている。この溝４２は、グリップ部４を取付部材７に取り付ける際に、取付部材７に対するグリップ部４の取付角度がほぼ正確な角度になれば、溝４０と溝４２との間の隔壁が撓んで取付部材７の突出部７０ａ、７０ｂが溝４０に入りやすくするために設けられているが、設けられていない構成でもよい。
【００３７】
なお、図示された取付部材７は、「取付部材」の一例であって、上記構成に限られるものではなく、突出部７０ａ、７０ｂが、グリップ部４の溝４０に嵌合することによってグリップ部４が取り付けられる構成であればよい。例えば、グリップ部４（粘着式クリーナＡ）を着脱する際に、突出部７０ａと突出部７０ｂとの間隔（突出部固定部７３と突出部固定部７４との間隔）を広げるための操作部７６を含む構成は、適宜変更することができる。
【００３８】
本実施形態における粘着式クリーナＡは、使用者がグリップ部４を手で持って使用することができるとともに、床やカーペット等の掃除を行う際、図２に示すように市販のポール６に取り付けることにより、使用者はポール６を持って立った姿勢で使用（掃除）することができる。
【００３９】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００４０】
本考案は、使用者が着用している衣服等に付着したゴミを除去する際に使い勝手の向上を図ることができる粘着式クリーナや、使用者が手で持って使用することができるとともに、市販のポールに取り付けて床等の掃除に立った姿勢で使用することができる粘着式クリーナ等として有用である。
【符号の説明】
【００４１】
１  粘着ローラ
１１  ホルダ
１２  粘着テープロール
２  軸部（ローラ支持部）
３  連結部
４  グリップ部
４ａ  Ｔ字状の縦棒部分
４ｂ  Ｔ字状の横棒部分
４０  溝
６  ポール
７  取付部材
７０ａ，７０ｂ  突出部
【図１】
0003215544.tif 000003
【図２】
0003215544.tif 000004
【図３】
0003215544.tif 000005
【図４】
0003215544.tif 000006
【図５】
0003215544.tif 000007